(57)【特許請求の範囲】
【請求項１】
物品を貯蔵する貯蔵庫本体と、
前記貯蔵庫本体に設けられ、上端面に上キャップが被せられ下端面に下キャップが被せられた扉と、
前記上キャップに保持された液晶表示器と、
前記上キャップに設けられ、上面が開口する凹状の基板ケースおよび基板ケースの上面を覆うケースカバーと、
前記基板ケースの外周部に設けられ、前記ケースカバーに接触するリブと
を備えたことを特徴とする貯蔵庫。
【請求項２】
前記上キャップには、前記リブの形成範囲内に位置して操作パネルが保持されていることを特徴とする請求項１記載の貯蔵庫。
【発明の詳細な説明】
【０００１】
【発明の属する技術分野】
本発明は、物品を貯蔵するための貯蔵庫に関する。
【０００２】
【発明が解決しようとする課題】
上記貯蔵庫の一例として冷蔵庫があげられる。この冷蔵庫には冷蔵室，野菜室，冷凍室を上段，中段，下段に形成し、上段の冷蔵室の扉の下端部に液晶表示器を装着した構成のものがある。この構成の場合、液晶表示器をしゃがんだり、腰を屈めた無理な姿勢で覗き込む必要があった。
【０００３】
本発明は上記事情に鑑みてなされたものであり、その目的は、液晶表示器を楽な姿勢で簡単に覗くことができる貯蔵庫を提供することにある。
【０００４】
【課題を解決するための手段】
請求項１記載の貯蔵庫は、物品を貯蔵する貯蔵庫本体と、前記貯蔵庫本体に設けられ上端面に上キャップが被せられ下端面に下キャップが被せられた扉と、前記上キャップに保持された液晶表示器と、前記上キャップに設けられ上面が開口する凹状の基板ケースおよび基板ケースの上面を覆うケースカバーと、前記基板ケースの外周部に設けられ前記ケースカバーに接触するリブとを備えたところに特徴を有している。
上記手段によれば、液晶表示器が上キャップに保持されているため、液晶表示器をしゃがんだり、腰を屈めることなく楽な姿勢で簡単に覗くことができる。しかも、液晶表示器が扉の上キャップに保持されているので、液晶表示器を保持する専用部材が不要になる。
さらに、水等が基板ケースおよびケースカバー間を通して基板ケース内に侵入することがリブによって防止される。
【０００５】
請求項２記載の貯蔵庫は、前記上キャップのうち前記リブの形成範囲内に操作パネルが保持されているところに特徴を有している。
上記手段によれば、上キャップの上面に零れた水等がリブによって操作パネルの外側に排除されるので、操作パネルに水が掛り難くなる。
【０００９】
【発明の実施の形態】
以下、本発明の一実施例を図面に基づいて説明する。まず、図１の（ａ）において、冷蔵庫本体１は鋼板製の外箱および合成樹脂製の内箱（いずれも図示せず）を有するものであり、高さ寸法が１４２０ｍｍに設定され、左右方向の幅寸法が５９９．９ｍｍに設定されている。これら外箱および内箱は前面が開口する矩形箱状をなすものであり、内箱は外箱の内部に組込まれ、内箱と外箱との間には発泡ウレタン等の断熱材（図示せず）が充填されている。
【００１０】
冷蔵庫本体１の内箱内には下から順に冷凍室，野菜室，冷蔵室（いずれも図示せず）が区画形成されている。これら冷凍室，野菜室，冷蔵室は貯蔵室に相当するものであり、物品を出入れするための開口部（図示せず）を前面に有している。尚、冷蔵庫本体１は貯蔵庫本体に相当するものである。
【００１１】
冷蔵庫本体１の前端部には下から順に扉２，扉３，扉４が装着されている。このうち下段の扉２および中段の扉３は前後方向へスライド可能にされており、冷凍室の前面開口部および野菜室の前面開口部は扉２のスライド操作および扉３のスライド操作に基づいて開閉される。また、上段の扉４は右辺部を中心に回動可能にされたものであり、冷蔵室の前面開口部は扉４の回動操作に基づいて開閉される。以下、扉４について詳述する。
【００１２】
扉本体５は、図１の（ｂ）に示すように、鋼板製の前板６と合成樹脂製の後板７とを上下面が開口する筒状に組合わせたものであり、扉本体５内には発泡ウレタン等の断熱材８が注入されている。また、扉本体５の下端部には合成樹脂製の下キャップ９が被せられている。この下キャップ９は断面略コ字状をなすものであり、扉本体５の下面開口部は下キャップ９によって塞がれている。
【００１３】
扉本体５の上端部には、図１の（ａ）に示すように、合成樹脂製の上キャップ１０が被せられている。この上キャップ１０は、図１の（ｂ）に示すように、左右両端部が断面略コ字状をなすものであり、扉本体５の上面開口部は上キャップ１０によって塞がれている。
【００１４】
上キャップ１０の左右方向中央部には、図２の（ａ）に示すように、基板ケース１１が一体形成されている。この基板ケース１１は下面が閉塞され且つ上面が開放された箱状をなすものであり、基板ケース１１の上面には、図３に示すように、リブ１２が一体形成され、リブ１２は、図２の（ｂ）に示すように、基板ケース１１の上面開口部を周回するように囲っている。尚、図２の（ａ）の矢印はリブ１２の左右方向の形成範囲を示している。
【００１５】
上キャップ１０の前面には弓状のパネル装着部１３が形成されている。このパネル装着部１３はリブ１２の左右方向の形成範囲内に位置するものであり、図３に示すように、前面に開口部１３ａを有する凹状をなしている。このパネル装着部１３の上端部には、図２の（ａ）に示すように、３個の係合孔１４および４個の係合孔１５が形成され、パネル装着部１３の下端部には４個の係合孔１６が形成されている。
【００１６】
基板ケース１１には、図４に示すように、合成樹脂製のケースカバー１７が被せられており、基板ケース１１の上面開口部はケースカバー１７によって覆われている。このケースカバー１７には凹部１８が形成されており、基板ケース１１のリブ１２はケースカバー１７の凹部１８内に嵌合されている。尚、断熱材８は扉本体５に下キャップ９および上キャップ１０を装着した後に扉本体５内に注入・充填されたものであり、ケースカバー１７は断熱材８の注入後に組付けられている。
【００１７】
ケースカバー１７には断面略Ｌ字状をなす取付板１９が一体形成されている。この取付板１９の上端部には３個の爪部２０（１個のみ図示する）が一体形成されており、各爪部２０はパネル装着部１３の係合孔１４内に係合することに基づいてケースカバー１７を基板ケース１１に対して上下方向および左右方向に位置決めしている。
【００１８】
上キャップ１０には、図２の（ｂ）に示すように、４個のボス部２１が一体形成されており、ケースカバー１７は上方からケースカバー１７の後端部を通して各ボス部２１内にねじ（図示せず）を締込むことに基づいて上キャップ１０に固定されている。図４はケースカバー１７がねじ止めされていない状態を示すものである。この状態ではケースカバー１７の後端部と上キャップ１０の上面との間に隙間が形成されているが、ケースカバー１７を上キャップ１０にねじ止めした状態ではケースカバー１７の全域が上キャップ１０の上面およびリブ１２に密着する。
【００１９】
パネル装着部１３の上端部の各係合孔１５内には、図３に示すように、操作パネル２２のフック部２３が係合され、パネル装着部１３の下端部の各係合孔１６内には操作パネル２２の爪部２４が係合されている。この操作パネル２２は合成樹脂からなるものであり、フック部２３の係合力および爪部２４の係合力によってパネル装着部１３内に嵌合された状態に保持されている。尚、各フック部２３および各爪部２４は操作パネル２２に一体形成されたものである。
【００２０】
ケースカバー１７の取付板１９には、図４に示すように、脚部２５，柱部２６，座部２７が一体形成されている。これら脚部２５，柱部２６，座部２７はケースカバー１７の左右方向中央部に位置するものであり、脚部２５および柱部２６の先端部には爪部２８および突部２９が一体形成されている。
【００２１】
基板ケース１１内にはプリント配線基板３０が収納されている。このプリント配線基板３０には係合孔３１および嵌合孔３２が形成されており、プリント配線基板３０は取付板１９の爪部２８が係合孔３１内に係合し且つ取付板１９の突部２９が嵌合孔３２内に嵌合することに基づいて取付板１９に保持され、取付板１９の座部２７に接触することに基づいて前後方向に位置決めされている。
【００２２】
パネル装着部１３には、図２の（ａ）に示すように、左右両端部に位置して合計４個のキー挿入孔３３が形成されている。また、プリント配線基板３０には４個のスイッチ（図示せず）が電気的に接続されており、各スイッチの操作部はパネル装着部１３のキー挿入孔３３を貫通してパネル装着部１３内に突出している。また、操作パネル２２には、図１の（ａ）に示すように、各スイッチの前方に位置してキー３４が一体形成されている。これら各キー３４は弾性変形可能な薄膜状をなすものであり、各キー３４が押圧操作されると、各スイッチの操作部がキー３４を介して後方に押圧され、各スイッチがオンされる。
【００２３】
ケースカバー１７の柱部２６には、図４に示すように、ＬＣＤ保持部３５が一体形成されている。このＬＣＤ保持部３５は上方へ向うに従って後方へ傾斜する板状をなすものであり、ＬＣＤ保持部３５には導光板３６が取付けられている。また、ケースカバー１７の取付板１９には導光板３６の前方に位置して開口部３７が形成されており、開口部３７の内周面には液晶表示器３８（ＬＣＤ３８）が嵌合されている。このＬＣＤ３８はプリント配線基板３０に電気的に接続されたものであり、図１の（ａ）に示すように、下面が１３６５ｍｍの高さに位置し、上面が１３８５ｍｍ程度の高さに位置している。尚、ＬＣＤ３８は、図１の（ａ）に示すように、横長な長方形状をなすものである。
【００２４】
プリント配線基板３０には、図４に示すように、導光板３６の上方に位置してエッジライト３９が電気的に接続されている。このエッジライト３９はＬＥＤからなるものであり、エッジライト３９が発光すると、導光板３６を通してＬＣＤ３８に光が照射され、ＬＣＤ３８が照明される。また、パネル装着部１３および操作パネル２２にはＬＣＤ３８の前方に位置して孔状の窓部４０および４１が形成されている。これら窓部４０および４１は横長な長方形状をなすものであり、ＬＣＤ３８は窓部４０および４１を通して前方に露出している。
【００２５】
冷蔵庫本体１内には制御装置（図示せず）が配設されている。この制御装置はマイクロコンピュータを主体に構成されたものであり、プリント配線基板３０の各スイッチからの出力信号に基づいて各キー３４の操作内容を検出し、各キー３４の操作内容に基づいて運転動作（冷気の生成動作等）を制御する。これと共に、ＬＣＤ３８に冷蔵室，野菜室，冷凍室の温度や各キー３４の操作内容等の運転情報を表示する。
【００２６】
上記実施例によれば、女性の平均身長が１５８０ｍｍ程度であることに着目し、ＬＣＤ３８を高さ１３００〜１５００ｍｍの範囲内に配置した。このため、ＬＣＤ３８が女性の目線のやや下に位置するので、ＬＣＤ３８をしゃがんだり、腰を屈めることなく楽な姿勢で簡単に覗くことができる。しかも、操作パネル２２をＬＣＤ３８と同程度の高さに配置したので、操作パネル２２のキー３４をしゃがんだり、腰を屈めることなく楽な姿勢で簡単に操作できる。
【００２７】
また、ＬＣＤ３８をケースカバー１７を介して上キャップ１０に保持した。この上キャップ１０は高さ１３００〜１５００ｍｍの範囲内に配置される傾向が高いので、ＬＣＤ３８を保持する専用部材を追加することなく、ＬＣＤ３８が高さ１３００〜１５００ｍｍの範囲内に簡単に配置される。
【００２８】
また、基板ケース１１のリブ１２をケースカバー１７に接触させた。このため、上キャップ１０の上面に零れた水等が基板ケース１１とケースカバー１７との間から基板ケース１１内に侵入し難くなるので、基板ケース１１内のプリント配線基板３０，ＬＣＤ３８，エッジライト３９，スイッチ等が濡れることが防止される。これと共に、バックライト３９からの投射光が基板ケース１１とケースカバー１７との間から外部に漏れ難くなる。しかも、基板ケース１１のリブ１２をケースカバー１７の凹部１８内に嵌合した。このため、基板ケース１１とケースカバー１７との隙間が迷路状に屈曲するので、外部から基板ケース１１内に水等が一層侵入し難くなる上、基板ケース１１の内部から外部に光が一層漏れ難くなる。
【００２９】
また、リブ１２および１８の左右方向の形成範囲内に操作パネル２２を配置した。このため、上キャップ１０の上面に零れた水等がリブ１２および１８によって操作パネル２２の左右両外側部に排除されるので、操作パネル２２に水等が掛り難くなる。従って、水等が操作パネル２２とパネル装着部１３との間から基板ケース１１内に侵入し難くなるので、この点からも基板ケース１１内のプリント配線基板３０，ＬＣＤ３８，エッジライト３９，スイッチ等が濡れ難くなる。
【００３０】
また、ケースカバー１７に取付板１９を一体形成し、取付板１９にＬＣＤ３８およびプリント配線基板３０を組付けた。このため、扉本体５内に下キャップ９および上キャップ１０の装着状態で断熱材８を注入した後、ケースカバー１７を上キャップ１０に組付けるだけで、ＬＣＤ３８およびプリント配線基板３０が定位置に配置されるので、製造作業性が向上する。これと共に、ケースカバー１７に取付板１９を別途組付ける場合に比べ、寸法のばらつきが少なくなる。このため、ケースカバー１７と上キャップ１０との間に隙間や段差等が生じ難くなるので、基板ケース１１内に水が一層侵入し難くなる上、見栄えが向上する。
【００３１】
尚、上記実施例においては、基板ケース１１のリブ１２の隅部を直線状あるいは円弧状に面取りしても良い。この場合、リブ１２がケースカバー１７の凹部１８内に円滑に嵌合されるので、ケースカバー１７の組付作業性が向上する。
また、上記実施例においては、上キャップ１０にＬＣＤ３８を保持したが、これに限定されるものではなく、例えばＬＣＤ３８を専用部材によって高さ１３００ｍｍ〜１５００ｍｍの範囲内に保持しても良い。
【００３２】
また、上記実施例においては、上下端面に上キャップ１０および下キャップ９が被せられた扉４を例示したが、これに限定されるものではなく、例えば左右端面に左キャップおよび右キャップが被せられた構成の扉を用いても良い。この場合、ＬＣＤ３８を左キャップまたは右キャップによって高さ１３００ｍｍ〜１５００ｍｍの範囲内に保持すると良い。
また、上記実施例においては、本発明を冷蔵庫に適用したが、これに限定されるものではなく、例えばアイスボックス，冷凍庫等、要は物品が貯蔵されるものであれば良い。
【００３３】
【発明の効果】
以上の説明から明らかなように、本発明の貯蔵庫は次の効果を奏する。
請求項１記載の手段によれば、液晶表示器を上キャップに保持したので、液晶表示器を保持する専用部材が不要になり、液晶表示器を楽な姿勢で簡単に覗くことができる。さらに、基板ケースのリブをケースカバーに接触させたので、基板ケースとケースカバーとの間から内部に水等が侵入し難くなる。
【００３４】
請求項２記載の手段によれば、リブの形成範囲内に操作パネルを配置した。このため、上キャップの上面に零れた水等がリブによって操作パネルの外側に排除されるので、操作パネルに水等が掛り難くなる。
【図面の簡単な説明】
【図１】本発明の一実施例を示す図（ａは全体構成を示す正面図、ｂはＸ−Ｘ線に沿う断面図）
【図２】（ａ）は上キャップを示す正面図、（ｂ）は上キャップを示す上面図
【図３】扉の上端部を図２の（ａ）のＸ1 −Ｘ1 線に沿って示す断面図
【図４】扉の上端部を図２の（ａ）のＸ2 −Ｘ2 線に沿って示す断面図
【符号の説明】
１は冷蔵庫本体（貯蔵庫本体）、４は扉、９は下キャップ（キャップ）、１０は上キャップ（キャップ）、１１は基板ケース、１２はリブ、１７はケースカバー、２２は操作パネル、３８はＬＣＤ（液晶表示器）を示す。
【図１】
0003798567.tif 000002
【図２】
0003798567.tif 000003
【図３】
0003798567.tif 000004
【図４】
0003798567.tif 000005